(57)【要約】      （修正有）【課題】重要人物（ＶＩＰ）などの特定人物の可能性がある通行者が認証ＮＧとなっていることを監視員に警告することができ、特定人物に対する監視員による迅速な対応を促すことができる顔照合装置の監視用端末装置を提供する。【解決手段】監視用端末装置は、顔照合装置１から前記認証対象者の顔画像と前記認証対象者が登録者であるか否かを示す判定結果と前記認証対象者の顔画像との類似度が高い順に所定順位までの各登録者を示す情報とを含む処理結果を受信し、前記顔照合装置１から受信した処理結果として前記認証対象者の顔画像と前記判定結果とを表示部に表示し、前記顔照合装置１から受信した処理結果に含まれる前記判定結果が前記認証対象者を登録者と判定しなかったことを示す情報である場合、前記認証対象者との類似度が所定順位までの登録者に特定人物が含まれているか否かを判定し、報知する。【選択図】図３
2009093373.tif 000002
【特許請求の範囲】
【請求項１】
認証対象者の生体情報と各登録者の生体情報との類似度に基づいて前記認証対象者が登録者であるか否かを判定する生体認証処理を行う生体照合装置の処理内容を監視する監視装置において、
前記生体照合装置から前記認証対象者の生体情報と前記認証対象者が登録者であるか否かを示す判定結果と前記認証対象者の生体情報との類似度が高い順に所定順位までの各登録者を示す情報とを含む処理結果を受信する受信手段と、
この受信手段により前記生体照合装置から受信した処理結果として、前記認証対象者の生体情報と前記判定結果とを表示する表示手段と、
前記受信手段により前記生体照合装置から受信した処理結果に含まれる前記判定結果が前記認証対象者を登録者と判定しなかったことを示す情報である場合、前記認証対象者との類似度が所定の条件を満たす登録者に特定人物が含まれているか否かを判定する判定手段と、
この判定手段により所定の条件を満たす登録者に特定人物が含まれていると判定された場合、前記表示手段により表示されている処理結果となった通行者が特定人物である可能性がある旨を報知する報知手段と、
を有することを特徴とする生体照合装置の監視装置。
【請求項２】
認証対象者の生体情報と登録者の生体情報との類似度に基づいて前記認証対象者が登録者であるか否かを判定し、この判定により登録者であると判定された前記認証対象者の通行を許可する通行制御装置における処理内容を監視する監視装置において、
前記通行制御装置から前記認証対象者の生体情報と前記認証対象者の通行を許可したか否かを示す判定結果と前記認証対象者の生体情報との類似度が高い順に所定順位までの各登録者を示す情報とを含む処理結果を受信する受信手段と、
この受信手段により前記通行制御装置から受信した処理結果として、前記認証対象者の生体情報と前記判定結果とを表示する表示手段と、
前記受信手段により前記通行制御装置から受信した処理結果に含まれる判定結果が前記認証対象者を通行不可と判定したことを示す情報である場合、前記認証対象者との類似度が所定の条件を満たす登録者に特定人物が含まれているか否かを判定する判定手段と、
この判定手段により所定の条件を満たす登録者に特定人物が含まれていると判定された場合、前記表示手段により表示されている処理結果となった通行者が特定人物である可能性がある旨を報知する報知手段と、
を有することを特徴とする通行制御装置の監視装置。
【請求項３】
認証対象者の生体情報と登録者の生体情報との類似度に基づいて前記認証対象者が登録者であるか否かを判定する生体認証処理を行う生体照合装置と、前記生体照合装置の処理内容を監視する監視装置とを有する生体照合システムにおいて、
前記生体照合装置は、
認証対象者の生体情報と各登録者の生体情報との類似度を算出し、算出された前記認証対象者の生体情報と各登録者の生体情報との類似度のうち最大類似度が所定の認証用の閾値以上であるか否かにより前記認証対象者が登録者であるか否かを判定する生体認証手段と、
前記生体認証手段による処理結果として、前記認証対象者の生体情報と前記認証対象者を登録者と判定したか否かの判定結果と前記認証対象者の生体情報との類似度が高い順に所定順位までの各登録者を示す情報とを含む情報を前記監視装置へ送信する送信手段と、を有し、
前記監視装置は、
前記生体照合装置から前記認証対象者の生体情報と前記認証対象者が登録者であるか否かを示す判定結果と前記認証対象者の生体情報との類似度が高い順に所定順位までの各登録者を示す情報とを含む処理結果を受信する受信手段と、
この受信手段により前記生体照合装置から受信した処理結果として、前記認証対象者の生体情報と前記判定結果とを表示する表示手段と、
前記受信手段により前記生体照合装置から受信した処理結果に含まれる前記判定結果が前記認証対象者を登録者と判定しなかったことを示す情報である場合、前記認証対象者との類似度が所定の条件を満たす登録者に特定人物が含まれているか否かを判定する判定手段と、
この判定手段により所定の条件を満たす登録者に特定人物が含まれていると判定された場合、前記表示手段により表示されている処理結果となった通行者が特定人物である可能性がある旨を報知する報知手段と、を有する、
ことを特徴とする生体照合システム。
【請求項４】
認証対象者の生体情報と各登録者の生体情報との類似度に基づいて前記認証対象者が登録者であるか否かを判定する生体認証処理を行う生体照合装置の処理内容を監視する監視装置に用いられる生体照合装置の監視方法において、
前記生体照合装置から前記認証対象者の生体情報と前記認証対象者が登録者であるか否かの判定結果と前記認証対象者の生体情報との類似度が高い順に所定順位までの各登録者を示す情報とを含む処理結果を受信し、
前記生体照合装置から受信した処理結果として、前記認証対象者の生体情報と前記判定結果とを表示し、
前記生体照合装置から受信した処理結果に含まれる前記判定結果が前記認証対象者を登録者と判定しなかったことを示す情報である場合、前記認証対象者との類似度が所定の条件を満たす登録者に特定人物が含まれているか否かを判定し、
この判定により所定の条件を満たす登録者に特定人物が含まれていると判定された場合、前記表示されている処理結果となった通行者が特定人物である可能性がある旨を報知する、
ことを特徴とする生体照合装置の監視方法。
【発明の詳細な説明】
【技術分野】
【０００１】
この発明は、たとえば、カメラなどで撮影される顔画像などの人物の生体情報に基づいて人物を認証する生体照合装置の監視装置、通行制御装置の監視装置、生体照合システム、および、生体照合装置の監視方法に関する。
【背景技術】
【０００２】
従来、顔画像などの生体情報により人物を認証する生体照合装置では、認証対象者の生体情報を取得し、取得した生体情報と予めデータベースに登録されている登録者の生体情報とを照合し、その照合結果に基づいて認証対象者が登録者であるか否かを判定する生体認証処理を行う。また、上記のような生体照合装置の運用形態の一例としては、認証対象者が登録者であるか否かによりドアあるいはゲートなどの開閉を制御する通行制御システムがある。一般に、生体照合装置では、生体情報が経年変化してしまったり、生体情報を取得する環境が変化してしまったりすることがあり、正当な登録者であっても認証が失敗してしまうことがある。このような場合、上記のような通行制御システムなどでは、係員（監視員）が人手で対応せざるを得ないこともある。
【０００３】
このような状況を支援するため、従来のシステムでは、各生体照合装置（通行制御装置）の処理結果などを遠隔の監視装置で表示し、監視員が各生体照合装置の処理状況を常時監視したり、遠隔でドアの開放などを行ったりするものが提案されている。たとえば、顔画像による認証が失敗した場合に、遠隔地に設置された端末装置で顔画像などを表示するシステムが提案されている（たとえば、特許文献１）。  
しかしながら、上記のようなシステムでは、認証が失敗した場合、認証対象者を特定の人物に絞り込むことが困難である。このため、従来の生体照合装置における処理内容を監視するシステムでは、認証対象者の属性に応じた正確な案内あるいは警告を監視員に対して報知することができないという問題点がある。
【特許文献１】特開２００７−２１９６８３号公報
【発明の開示】
【発明が解決しようとする課題】
【０００４】
この発明の一形態では、各装置で実施された生体認証処理の結果に応じた監視員への報知処理が実現できる生体照合装置の監視装置、通行制御装置の監視装置、生体照合システム、生体照合装置の監視方法を提供することを目的とする。
【課題を解決するための手段】
【０００５】
この発明の一形態としての生体照合装置の監視装置は、認証対象者の生体情報と各登録者の生体情報との類似度に基づいて前記認証対象者が登録者であるか否かを判定する生体認証処理を行う生体照合装置の処理内容を監視するものにおいて、前記生体照合装置から前記認証対象者の生体情報と前記認証対象者が登録者であるか否かを示す判定結果と前記認証対象者の生体情報との類似度が高い順に所定順位までの各登録者を示す情報とを含む処理結果を受信する受信手段と、この受信手段により前記生体照合装置から受信した処理結果として、前記認証対象者の生体情報と前記判定結果とを表示する表示手段と、前記受信手段により前記生体照合装置から受信した処理結果に含まれる前記判定結果が前記認証対象者を登録者と判定しなかったことを示す情報である場合、前記認証対象者との類似度が所定の条件を満たす登録者に特定人物が含まれているか否かを判定する判定手段と、この判定手段により所定の条件を満たす登録者に特定人物が含まれていると判定された場合、前記表示手段により表示されている処理結果となった通行者が特定人物である可能性がある旨を報知する報知手段とを有する。
【０００６】
この発明の一形態としての通行制御装置の監視装置は、認証対象者の生体情報と登録者の生体情報との類似度に基づいて前記認証対象者が登録者であるか否かを判定し、この判定により登録者であると判定された前記認証対象者の通行を許可する通行制御装置における処理内容を監視するものにおいて、前記通行制御装置から前記認証対象者の生体情報と前記認証対象者の通行を許可したか否かを示す判定結果と前記認証対象者の生体情報との類似度が高い順に所定順位までの各登録者を示す情報とを含む処理結果を受信する受信手段と、この受信手段により前記通行制御装置から受信した処理結果として、前記認証対象者の生体情報と前記判定結果とを表示する表示手段と、前記受信手段により前記通行制御装置から受信した処理結果に含まれる判定結果が前記認証対象者を通行不可と判定したことを示す情報である場合、前記認証対象者との類似度が所定の条件を満たす登録者に特定人物が含まれているか否かを判定する判定手段と、この判定手段により所定の条件を満たす登録者に特定人物が含まれていると判定された場合、前記表示手段により表示されている処理結果となった通行者が特定人物である可能性がある旨を報知する報知手段とを有する。
【０００７】
この発明の一形態としての生体照合システムは、認証対象者の生体情報と登録者の生体情報との類似度に基づいて前記認証対象者が登録者であるか否かを判定する生体認証処理を行う生体照合装置と、前記生体照合装置の処理内容を監視する監視装置とを有するシステムにおいて、前記生体照合装置は、認証対象者の生体情報と各登録者の生体情報との類似度を算出し、算出された前記認証対象者の生体情報と各登録者の生体情報との類似度のうち最大類似度が所定の認証用の閾値以上であるか否かにより前記認証対象者が登録者であるか否かを判定する生体認証手段と、前記生体認証手段による処理結果として、前記認証対象者の生体情報と前記認証対象者を登録者と判定したか否かの判定結果と前記認証対象者の生体情報との類似度が高い順に所定順位までの各登録者を示す情報とを含む情報を前記監視装置へ送信する送信手段とを有し、前記監視装置は、前記生体照合装置から前記認証対象者の生体情報と前記認証対象者が登録者であるか否かを示す判定結果と前記認証対象者の生体情報との類似度が高い順に所定順位までの各登録者を示す情報とを含む処理結果を受信する受信手段と、この受信手段により前記生体照合装置から受信した処理結果として、前記認証対象者の生体情報と前記判定結果とを表示する表示手段と、前記受信手段により前記生体照合装置から受信した処理結果に含まれる前記判定結果が前記認証対象者を登録者と判定しなかったことを示す情報である場合、前記認証対象者との類似度が所定の条件を満たす登録者に特定人物が含まれているか否かを判定する判定手段と、この判定手段により所定の条件を満たす登録者に特定人物が含まれていると判定された場合、前記表示手段により表示されている処理結果となった通行者が特定人物である可能性がある旨を報知する報知手段とを有する。
【０００８】
この発明の一形態としての生体照合装置の監視方法は、認証対象者の生体情報と各登録者の生体情報との類似度に基づいて前記認証対象者が登録者であるか否かを判定する生体認証処理を行う生体照合装置の処理内容を監視する監視装置に用いられる方法において、前記生体照合装置から前記認証対象者の生体情報と前記認証対象者が登録者であるか否かの判定結果と前記認証対象者の生体情報との類似度が高い順に所定順位までの各登録者を示す情報とを含む処理結果を受信し、前記生体照合装置から受信した処理結果として、前記認証対象者の生体情報と前記判定結果とを表示し、前記生体照合装置から受信した処理結果に含まれる前記判定結果が前記認証対象者を登録者と判定しなかったことを示す情報である場合、前記認証対象者との類似度が所定の条件を満たす登録者に特定人物が含まれているか否かを判定し、この判定により所定の条件を満たす登録者に特定人物が含まれていると判定された場合、前記表示されている処理結果となった通行者が特定人物である可能性がある旨を報知する。
【発明の効果】
【０００９】
この発明の一形態によれば、各装置で実施された生体認証処理の結果に応じた監視員への報知処理が実現できる生体照合装置の監視装置、通行制御装置の監視装置、生体照合システム、および、生体照合装置の監視方法を提供できる。
【発明を実施するための最良の形態】
【００１０】
以下、本発明を実施するための最良の形態について図面を参照して説明する。  
図１は、実施の形態としての生体照合装置としての顔照合装置１（１Ａ、…、１Ｎ、…）を含む通行制御システム（生体照合システム）の運用形態の例を示す図である。また、図２は、顔照合装置１の設置例を示す図である。  
図１に示すように、通行制御システムは、顔照合装置１（１Ａ、…、１Ｎ、…）、カメラ２（２Ａ、…、２Ｎ、…）、ドア／ゲート３（３Ａ、…、３Ｎ、…）、監視用端末装置４、データベース５、および、ＬＡＮ６などにより構成される。
【００１１】
上記顔照合装置１は、図２に示すように、主制御部（制御装置）１１、表示部（表示装置）１２、入力部（入力装置）１３などにより構成されている。  
上記主制御部１１は、顔画像（生体情報）による照合処理あるいは顔画像（生体情報）の登録処理などを実行するためのユニットである。主制御部１１内の構成例については、後で詳細に説明する。
【００１２】
上記表示部１２は、液晶表示装置などにより構成され、認証対象者あるいは管理者に対して操作案内などを表示する装置である。たとえば、後述する照合処理モードにおいて、表示部１２には、顔照合装置１による顔照合（生体照合）の結果あるいは顔照合結果に基づく通行の可否を示す情報などが表示される。
【００１３】
上記入力部１３は、認証対象者あるいは管理者からの入力を受け付ける装置である。上記入力部１３は、各顔照合装置１における動作モードを切替える操作を行ったり、顔登録情報の登録処理において個人を特定するための識別情報を入力したりするものである。入力部１３は、例えば、テンキー、キーボードあるいはタッチパネルなどの入力キーにより構成される。入力部１３の入力キーは、ハードキーで構成されるようにしても良いし、表示部１２上に表示されるタッチキーで構成されるようにしても良い。また、上記入力部１３は、カメラ２あるいは表示部１２の近傍に設置したり、カメラ２あるいは表示部１２と一体的に形成したりすることが可能である。たとえば、表示部１２及び入力部１３は、タッチパネルが内蔵された液晶表示装置により構成されるようにしても良い。
【００１４】
上記カメラ２は、認証対象者の顔を含む画像を撮影するための撮影装置である。各カメラ２は、図２に示すように、各ドア３に向けて歩行中の歩行者（認証対象者）Ｍの顔を含む画像データを撮影するように設置される。上記カメラ２は、たとえば、ＣＣＤセンサなどの撮像素子を用い、Ａ／Ｄ変換器を備えたテレビジョンカメラから構成されている。各カメラ２は、それぞれ各顔照合装置１の主制御部１１に接続される。これにより、各カメラ２で撮影した画像は、対応する顔照合装置１の主制御部１１に供給されるようになっている。
【００１５】
上記ドア／ゲート３は、顔照合装置１による人物の認証結果あるいは監視用端末装置４からの開閉制御の指示に基づいて開閉されるものである。上記ドア／ゲート３は、登録者の通行を許可したり、未登録者の通行を阻止したりするためのものである。たとえば、ドア／ゲート３は、一般の人物が通行可能な通路から登録者のみの入場が許可されているセキュリティエリアへ入場するためのドアとして設置されている。
【００１６】
上記監視用端末装置４は、各顔照合装置１およびデータベース５とＬＡＮ６を介して接続されている。上記監視用端末装置４は、各顔照合装置１による処理結果などを監視員が一元的に監視するための装置である。たとえば、上記監視用端末装置４は、各顔照合装置１による処理結果（カメラで撮影された顔画像、認証結果など）が表示される。また、監視用端末装置４では、必要に応じて各ドアの開閉の指示を各顔照合装置１に送信する機能も有している。ここで、上記監視用端末装置４は、所定のセキュリティ性が確保された監視室内に設けられているものとする。
【００１７】
上記データベース５は、登録者の顔画像などの顔登録情報が格納される。上記顔登録情報としては、登録者に与えられた識別情報に対応づけて当該登録者の顔画像あるいは顔特徴情報が上記データベース５に記憶される。たとえば、顔照合装置１における後述する登録処理により、データベース５には、カメラ２で撮影された画像から得られる顔画像あるいは顔特徴情報と上記入力部１３により入力される識別情報とを対応付けた登録者の情報（顔登録情報）が記憶される。さらに、データベース５には、上記識別情報と対応づけて当該登録者の属性を示す属性情報も保存される。また、顔照合装置１での認証処理では、データベース５に記憶されている顔登録情報が辞書パターンとして参照される。
【００１８】
また、上記データベース５には、各顔照合装置１での処理結果を示す情報が履歴情報（通行履歴情報）として蓄積されるようになっている。さらに、上記データベース５には、各種の設定情報も格納されるようにしても良い。これらの設定情報は、ＬＡＮ６を介して通信可能な各顔照合装置１により参照される。なお、上記データベース５の一部または全部の機能は、たとえば、上記監視用端末装置４内の図示しない記憶部に設けるようにしても良い。
【００１９】
次に、上記顔照合装置１の構成について説明する。  
図３は、顔照合装置１の構成例を示す図である。  
上記顔照合装置１は、図２に示すように、主制御部１１と表示部１２と入力部１３とを有している。顔照合装置１の主制御部１１は、図３に示すように、認証制御部２１、画像取得部２２、顔検出部２３、顔特徴抽出部２４、顔照合部２５、通行制御部２６および通信インターフェース（Ｉ／Ｆ）部２７などから構成されている。主制御部１１は、たとえば、ＣＰＵ、ＲＡＭ、ＲＯＭ、不揮発性メモリおよび各種のインターフェースなどにより構成される。たとえば、上記認証制御部２１、顔検出部２３、顔特徴抽出部２４、顔照合部２５などは、図示しないＣＰＵが図示しない不揮発性メモリに記憶されている制御プログラムを実行することにより実現される機能である。
【００２０】
上記画像取得部２２は、カメラ２により撮影された画像を取得するインターフェースである。つまり、画像取得部２２は、カメラ２で撮影された歩行中の人物（歩行者）Ｍの顔を含む画像データを収集するものである。画像取得部２２は、カメラ２から収集した画像データを顔検出部２３に出力するようになっている。
【００２１】
上記顔検出部２３は、画像取得部２２により取得した画像から顔が存在する候補領域（顔領域）を検出する処理を行う。また、顔検出部２３は、検出した顔領域を示す情報を顔特徴抽出部２４に出力するようになっている。なお、顔検出部２３では、顔領域を検出する手法として種々の手法が適用可能である。たとえば、顔検出部２３は、文献１（三田．金子．堀．”微小な差異を含む画像の認証に適した空間差分確率テンプレートの提案”，第９会画像センシングシンポジウム講演論文集．ＳＳII３．２００３）に記載されている手法が適用可能である。上記文献１の手法では、事前に、顔の学習パターンから検出用辞書パターンを作成しておき、辞書パターンと高い類似度を持つパターンを顔領域として入力画像から探すようになっている。
【００２２】
上記顔特徴抽出部２４は、顔検出部２３により検出された顔領域から顔の特徴量としての顔特徴情報を抽出するものである。すなわち、顔特徴抽出部２４は、画像取得部２２により取得された画像のうち顔検出部２３により検出された顔領域の画像から顔特徴情報を抽出する。例えば、顔特徴抽出部２４は、顔領域の画像から顔の特徴点を基準に、一定の大きさ、形状に切り出し、その濃淡情報を特徴量（顔特徴情報）として用いる。顔特徴抽出部２４は、算出した顔特徴情報を認証制御部２１に出力するようになっている。
【００２３】
ここでは、ｍピクセル×ｎピクセルの領域の濃淡値をそのまま情報として用い、ｍ×ｎ次元の情報を特徴ベクトルとするものとする。これらの特徴ベクトルの相関行列を求め、Ｋ−Ｌ展開による正規直交ベクトルを求めることにより、部分空間が計算される。なお、部分空間は、特徴ベクトルの相関行列（または共分散行列）を求め、そのＫ−Ｌ展開による正規直交ベクトル（固有ベクトル）を求めることにより、計算される。ここで、部分空間は、固有値に対応する固有ベクトルを、固有値の大きな順にｋ個選び、その固有ベクトル集合を用いて表現するものとする。
【００２４】
上記顔特徴抽出部２４では、相関行列Ｃｄを特徴ベクトルから求め、相関行列Ｃｄ  ＝Φｄ  Λｄ  Φｄ  Ｔ  と対角化して、固有ベクトルの行列Φを求めるものとする。この部分空間は、顔画像の照合を行うための顔特徴情報として利用される。なお、登録者の顔特徴情報は、あらかじめ登録者から取得し、それを辞書として登録しておけば良い。また、識別を行うための顔特徴情報として部分空間自身を利用してもよい。
【００２５】
上記顔照合部２５は、認証対象者の歩行者Ｍの顔画像と登録者の顔画像との照合処理を行うものである。ここでは、顔照合部２５は、歩行者の顔特徴情報と登録者の顔特徴情報との類似度を算出し、その算出結果を認証制御部２１に出力するものとする。顔照合部２５の顔照合処理には、種々の手法を適用可能であるが、データベース５に記録されている顔登録情報を辞書パターンとし、認識対象者としての歩行者Ｍの顔特徴情報に対する類似度を計算するものとする。このような手法は、例えば、文献２（山口，福井，前田．”動画像を用いた顔認識システム”，信学技報ＰＲＭＵ９７−５０，ｐｐ．１７−２３，１９９７−０６）に記載されている相互部分空間法を用いることで実現可能である。
【００２６】
上記認証制御部２１は、当該顔照合装置１全体の制御を司るものであり、種々の処理を行う機能を有している。たとえば、認証制御部２１は、顔画像による照合処理において、顔照合部２５による照合処理により得られる類似度に基づいて歩行者が登録者であるか否かを判定（認証）する機能、顔登録情報の登録処理において、顔検出部２３により検出された顔領域の画像あるいは顔特徴抽出部２４により抽出された顔特徴情報を顔登録情報としてデータベース５に登録する機能などを有している。また、認証制御部２１は、当該顔照合装置１の動作モードを切替える機能、表示部１２の表示制御機能、通行制御部２６に対するドア３の開閉指示信号を出力する機能、あるいは、通行Ｉ／Ｆ部２７による監視用端末装置４あるいはデータベース５との通信処理機能なども有している。さらには、認証制御部２１は、監視用端末装置４からの指示に応じて通行制御部２６によるドア３の開放を制御する機能も有している。
【００２７】
上記通行制御部２６は、認証制御部２１により通知される制御信号に基づいてドア／ゲート３の開閉を行う。たとえば、通行制御部２６は、認証制御部２１からドアの開放を示す制御信号が与えられた場合にはドア／ゲート３を開放し、認証制御部２１からドアの閉鎖を示す制御信号が与えられた場合にはドア／ゲート３を閉鎖する。  
上記通信インターフェース（Ｉ／Ｆ）部２７は、ＬＡＮ６を介して監視用端末装置４あるいはデータベース５と通信を行うためのインターフェースである。
【００２８】
次に、上記監視用端末装置４の構成について説明する。  
図４は、監視用端末装置４の構成例を示す図である。  
上記監視用端末装置４は、図４に示すように、制御部４１、表示部４２、入力部４３、スピーカ４４、通信インターフェース（Ｉ／Ｆ）部４５どから構成されている。  
上記制御部４１は、監視用端末装置４全体の制御を司るものであり、ＣＰＵ、ＲＡＭ、ＲＯＭ、不揮発性メモリなどにより構成されている。上記制御部４１は、ＲＯＭあるいは不揮発性メモリなどに記憶されている制御プログラムを実行することにより種々の機能を実現している。
【００２９】
上記表示部４２は、種々の情報を表示する表示装置により構成される。上記表示部４２は、たとえば、各顔照合装置１における処理内容（たとえば、顔照合装置の設置場所、検出された顔画像、認証結果など）などが表示される。また、各顔照合装置１における処理内容は、たとえば、各顔照合装置による照合処理ごとの処理結果を一覧形式で表示されたり、特定の処理結果についての詳細な処理内容（たとえば、類似度の高い順から所定順位までの登録者の情報）が表示されたりするようになっている。これにより、監視員は、表示部４２に表示された情報に基づいて、各顔照合装置１における処理結果を監視できるようになっている。
【００３０】
上記入力部４３は、キーボード、マウスなどのポインティングデバイスなどの入力装置により構成され、監視員により種々の操作指示が入力される。たとえば、入力部４３では、表示部４２による表示内容の変更指示、あるいは、各種の設定変更の指示などが入力される。  
上記スピーカ４４は、警告音などを発生させるものである。たとえば、各顔照合装置１から受信した処理結果が警告すべき内容であった場合、上記制御部４１は、上記スピーカ４４により警告音を発生させるようになっている。  
上記通信インターフェース部４５は、ＬＡＮ６を介して各顔照合装置１あるいはデータベース５と通信を行うためのインターフェースである。たとえば、各顔照合装置１における処理結果を示す情報は、通信Ｉ／Ｆ部４５を介して受信される。また、制御部４１は、データベース５に対する情報の書き込み（更新）などを通信Ｉ／Ｆ部４５を介して実行するようになっている。
【００３１】
次に、上記監視用端末装置４における監視処理について説明する。  
上記監視用端末装置４には、各顔照合装置１から各顔照合装置における認証処理などの処理結果を示す情報が適宜送信される。上記監視用端末装置４では、各顔照合装置１から受信した処理結果を示す情報に基づいて各顔照合装置１での処理結果（処理状況）を示す情報を表示部４２に表示する。たとえば、監視用端末装置４の表示部４２には、各顔照合装置１から受信する処理結果を示す情報が各処理ごとの一覧形式などで表示される。また、各顔照合装置から受信した処理結果を示す情報は、順次、ほぼリアルタイムで表示部４２に表示される。
【００３２】
また、監視用端末装置４では、監視員による特定のドア３を開放する旨の指示入力に応じて、当該ドア３に対応する顔照合装置１に対して、ドア３の開放（あるいは、ドアに設けられた電子錠の解錠）を要求する信号を出力する。  
すなわち、上記監視用端末装置４では、上記のような表示により監視員が各顔照合装置１の処理状況などをほぼリアルタイムを視認することができ、さらに、特定のドアを監視員が開放させる操作を行うことができるようになっている。
【００３３】
また、各顔照合装置１が監視用端末装置４に送信する処理結果を示す情報としては、たとえば、認証結果（認証ＯＫか認証ＮＧかを示す情報）、認証対象者の顔画像、認証処理を行った日時、場所（当該顔照合装置の設置場所）、類似度の高い順に所定順位までの各登録者を示す情報（たとえば、類似度の高い５番目までの各登録者を示す情報）、および、装置異常（たとえば、自動ドアの開放異常）を示す情報などがある。なお、上述した処理結果を示す情報は、上記データベース５に履歴情報としても保存される。
【００３４】
次に、監視用端末装置４の表示部４２に表示される各顔照合装置１の処理内容を監視するための監視画面について説明する。  
図５は、上記監視用端末装置４の表示部４２に表示される監視画面５０の表示例を示す図である。  
図５に示す表示例では、１回の認証処理の結果を表示するための小ウインドウ５１ａ、５１ｂ、…が１８個並べて表示されている。すなわち、図５に示す表示例では、各顔照合装置１で実行された１８件分の認証処理の結果が一覧形式で表示されるようになっている。各小ウインドウ５１ａ、５１ｂ、…には、それぞれ認証対象者（通行者）の顔画像とともに、認証処理を実行した日時と場所、認証結果が表示される。
【００３５】
また、処理結果が認証ＯＫである場合、当該小ウインドウ５１には、最大類似度となった登録者（つまり、認証された人物）のＩＤ及び氏名が表示される。さらに、認証が成功した人物（最大類似度となった登録者）に特定人物である旨の属性情報が付与されている場合、当該小ウインドウ５１には、当該人物が特定人物である旨が表示される。ここで、特定人物として属性情報が設定される人物としては、たとえば、重要人物（ＶＩＰ）、特定のグループに属する人物、所定以上の権限を有している人物あるいは不審者などが想定される。本実施の形態では、重要人物を特定人物として設定することを想定して説明するものとする。
【００３６】
また、処理結果が認証ＮＧであった場合、小ウインドウ５１ａ、５１ｂ内には、当該認証対象者（通行者）の通行を監視員が許可するための解錠ボタン（認証ボタン、通行許可ボタン）５２ａ、５２ｂが表示される。この解錠ボタン５２ａ、５１ｂは、監視員が入力部４３としてのポインティングデバイスでクリックすることにより指示されるアイコンである。なお、解錠ボタン５２ｃは、機器の異常などでドアが開放できなかった場合にも表示するようにしても良い。たとえば、図５に示す表示例において、小ウインドウ５１ｃには、ドア３の開放異常となった旨の処理結果とともに、解錠ボタン５２ｃが表示されている。
【００３７】
さらに、処理結果が認証ＮＧであった場合、当該小ウインドウ５１には、各顔照合装置１から認証処理の処理結果として得られる認証対象者に対する候補者のうち何れかの登録者を示す情報が表示される。なお、各顔照合装置からは得られる処理結果には、認証対象者に対する候補者として、認証対象者との類似度が高い順に所定順位までの各登録者を示す情報が含まれるものとする。
【００３８】
たとえば、所定順位までの候補者に属性情報が特定人物に設定されている登録者が存在し、かつ、当該登録者に対する類似度が所定の表示判定用の閾値（少なくとも認証用の閾値よりも小さい値）以上である場合、当該小ウインドウ５１には、属性情報が特定人物に設定されている登録者を示す情報を表示するとともに、当該登録者（候補者）が特定人物であることを示す情報が表示される。また、所定順位までの候補者に特定人物が含まれていない場合、あるいは、属性情報が特定人物となっている候補者に対する類似度が上記表示判定用の閾値未満である場合、当該小ウインドウ５１には、認証対象者との類似度が最大類似度となった候補者（登録者）を示す情報が表示される。
【００３９】
すなわち、各顔照合装置１から取得した処理結果が認証ＮＧであった場合、監視用端末装置４では、各候補者に対する類似度などに基づいて認証対象者が特定人物である可能性が高いか否かが判定する。この判定により認証対象者が特定人物である可能性が高いと判定した場合、監視用端末装置４は、通行者が特定人物である可能性がある旨を監視員に報知する報知処理を行う。この報知処理として、監視用端末装置４は、たとえば、当該処理結果の表示領域に特定人物の可能性がある旨の表示を行うとともに、スピーカ４４により警告音を発生させる処理を行う。このような報知処理により、監視員は、特定人物の可能性がある旨の監視画面５０上の表示内容と警告音とにより認識することができ、特定人物の可能性がある人物の確認を確実かつ迅速に行うことが可能となる。
【００４０】
また、図５に示す監視画面の表示例では、上記各小ウインドウ５１とともに、詳細画面５６が表示されるようになっている。詳細画面５６は、特定の小ウインドウに表示されている処理結果を詳細に表示するための画面である。詳細画面５６は、たとえば、特定の小ウインドウをポインティングデバイスによりクリックすることにより、当該小ウインドウに表示されている処理内容の詳細が表示されるようになっている。図５に示す表示例では、詳細画面５６において、小ウインドウと同様な当該通行者Ｍの顔画像を含む表示内容とともに、当該通行者との類似度が高い順に５番目までの登録者の顔画像と類似度（スコア）とを含む情報が並べて表示されている。
【００４１】
このような監視画面５０内に表示される詳細画面５６によれば、監視員は、５位までの候補者（登録者）の顔画像と当該通行者の顔画像とを簡単に比較でき、その比較結果に基づいて当該通行者が登録者であるか否かを容易に判断することが可能となる。この結果として、上記監視用端末装置４では、顔の経年変化あるいは撮影環境の変化などによって登録者が顔照合装置による認証処理で認証ＮＧとなった場合であっても、監視員が、当該人物の通行制御を迅速かつ簡単に行うことを支援できる。
【００４２】
次に、各顔照合装置１の動作例について説明する。  
各顔照合装置１は、通常の運用状態において、照合処理モードで動作しているものとする。照合処理モードでは、各顔照合装置１は、カメラ２で撮影した画像から検出された通行者の顔画像と登録者の顔画像とを照合することにより、当該通行者が登録者であるか否かを判定する認証処理（生体認証処理）を行い、その判定結果に基づいて当該通行者に対する通行制御を行う。また、各顔照合装置１は、各通行者に対する上記のような認証処理の結果及び通行制御の結果などを処理結果を示す情報として監視用端末装置４へ出力する処理も行っている。
【００４３】
図６は、顔照合装置１における照合処理モードの動作例を説明するためのフローチャートである。  
すなわち、上記カメラ２の撮影範囲に通行者（認証対象者）Ｍが進入してくると、顔照合装置１は、上記カメラ２により撮影された当該通行者Ｍの画像（当該通行者Ｍの顔を含む画像）を上記画像取得部２２により取得する（ステップＳ１１、ＹＥＳ）。上記画像取得部２２により通行者Ｍの顔を含む画像を取得すると、上記顔検出部２３は、取得した画像から顔の領域を検出する顔検出処理を行う（ステップＳ１２）。上記顔検出処理により通行者Ｍの顔の領域が検出されると、上記顔特徴抽出部２４は、検出された顔領域の画像から顔特徴情報を抽出する顔特徴情報の抽出処理を行う（ステップＳ１３）。
【００４４】
上記顔特徴情報の抽出処理により通行者Ｍの顔特徴情報が抽出されると、上記認証制御部２１は、抽出された顔特徴情報を顔照合部２５に供給することにより、上記データベース５に登録されている登録者の顔特徴情報との照合処理を行わせる（ステップＳ１４）。これにより、顔照合部２５では、通行者Ｍの顔特徴情報と各登録者の顔特徴情報との照合を行い、その照合結果として通行者Ｍに対する各登録者の類似度を認証制御部２１に供給する。
【００４５】
上記顔照合部２５から照合結果が供給されると、上記認証制御部２１は、照合結果に基づいて通行者Ｍが登録者であるか否かを判定する認証処理を行う（ステップＳ１５）。この認証処理において、上記認証制御部２１は、当該通行者Ｍに対する各登録者の類似度のうち最大類似度が所定の閾値（認証用の閾値）以上であるか否かを判断する。この判断により最大類似度が所定の認証用の閾値以上であると判断した場合、認証制御部２１は、当該通行者Ｍが最大類似度となった登録者であると認証する（認証ＯＫと判定する）。また、上記判断により最大類似度が所定の認証用の閾値未満であると判断した場合、認証制御部２１は、当該通行者Ｍと認証される登録者が存在しなかったと判定する（認証ＮＧと判定する）。  
さらに、上記認証制御部２１は、認証処理として、少なくとも認証ＮＧと判定された場合、当該通行者Ｍに対する各登録者の類似度のうち所定順位（たとえば、上位５番目）までの類似度となった各登録者を候補者として選出する。
【００４６】
上記のような処理結果を示す情報は、当該顔照合装置１から上記監視用端末装置４へ送信される（ステップＳ１６）。当該顔照合装置１から上記監視用端末装置４へ送信される処理結果を示す情報としては、上述したように、認証結果、通行者Ｍの顔画像、認証処理を行った日時と場所（当該顔照合装置の設置場所）、類似度の高い順に所定順位までの各登録者を示す情報（たとえば、類似度の高い５番目までの各登録者を示す情報）、および、装置異常（たとえば、自動ドアの開放異常）を示す情報などが含まれるものとする。  
なお、上記のような顔照合装置１における処理結果を示す情報は、上記データベース５に通行履歴情報として保存するようにしても良い。この場合、上記監視用端末装置４では、上記データベース５に蓄積される通行履歴情報を監視し、上記データベース５に蓄積されている通行履歴情報の更新に応じて、上記データベース５に蓄積される通行履歴情報に基づいて図５に示すような監視画面を表示するようにしても良い。
【００４７】
また、上記のような認証処理が完了した場合、上記認証制御部２１は、認証処理の結果が認証ＯＫであれば、つまり、通行者Ｍが登録者であることが認証されれば（ステップＳ１７、ＹＥＳ）、当該通行者Ｍの通行を許可し、上記通行制御部２６によりドア３を開放（あるいはドア３の設けられた電子錠を解錠）する処理を行う（ステップＳ１８）。
【００４８】
また、上記認証制御部２１は、認証処理の結果が認証ＮＧであれば、つまり、通行者Ｍが登録者であることが認証できなければ（ステップＳ１７、ＮＯ）、当該通行者Ｍの通行を不許可し、上記通行制御部２６によりドア３を閉鎖（あるいはドア３の設けられた電子錠を施錠）する処理を行う（ステップＳ２０）。ただし、この場合、上記認証制御部２１は、上記監視用端末装置４からの解錠要求を受付可能な状態とする。この状態において上記監視用端末装置４から解錠要求を受けた場合（ステップＳ１９、ＹＥＳ）、認証制御部２１は、当該通行者Ｍの通行を許可し、上記通行制御部２６によりドア３を開放（あるいはドア３の設けられた電子錠を解錠）する処理を行う（ステップＳ１８）。
【００４９】
次に、監視用端末装置４の動作例について説明する。  
監視用端末装置４では、各顔照合装置１から取得する処理結果を示す情報に基づいて、各顔照合装置１における処理状況を監視するための図５に示すような監視画面を表示する。さらに、監視用端末装置４では、上記監視画面を表示した状態において監視員からの操作指示に応じて特定のドアを開放する指示を顔照合装置１へ送信するようになっている。
【００５０】
図７は、監視用端末装置４における動作例を説明するためのフローチャートである。  
なお、図７に示す動作例では、１件分の処理結果を受信した場合の図５に示すような監視画面の表示処理と解錠ボタンへの指示入力に応じた処理とを示している。すなわち、監視用端末装置４では、以下に説明するような処理が各顔照合装置１から処理結果を受信するごとに実施されるようになっている。
【００５１】
まず、顔照合装置１から処理結果を示す情報を受信すると（ステップＳ４１、ＹＥＳ）、監視用端末装置４の制御部４１は、図５に示すような監視画面５０において受信した処理結果を表示するための表示領域としての小ウインドウ５１を確保する。上記表示部４２における表示領域を確保すると、制御部４１は、受信した処理結果を示す情報に含まれる当該通行者の顔画像と認証処理を行った日時と場所とを確保した表示領域に図５に示すような表示フォーマットで表示する（ステップＳ４２）。これらの情報を当該処理結果の表示領域に表示すると、制御部４１は、受信した処理結果を示す情報に基づいて当該通行者Ｍが登録者であると認証したか否か判定する（ステップＳ４３）。
【００５２】
上記判定により当該通行者Ｍを登録者と認証した処理結果を受信したと判定した場合、つまり、受信した処理結果において当該通行者が認証ＯＫであった場合（ステップＳ４３、ＹＥＳ）、制御部４１は、当該処理結果の表示領域に当該通行者が認証ＯＫであった旨を表示するとともに（ステップＳ４４）、当該通行者であると判定された登録者（最大類似度となった登録者）を示す情報（たとえば、ＩＤ及び氏名）を表示する（ステップＳ４５）。
【００５３】
認証ＯＫであった旨と最大類似度となった登録者（認証された人物）を示す情報とを表示すると、制御部４１は、さらに、認証された人物（最大類似度となった登録者）が特定人物であるか否かを判定する（ステップＳ４６）。認証された人物が特定人物であるか否かは、最大類似度となった登録者の属性情報が特定人物に設定されているか否かを確認することにより判定される。この判定により認証された人物が特定人物であると判定された場合、制御部４１は、特定人物の報知処理を行う（ステップＳ４７）。この特定人物の報知処理としては、監視員に特定人物が認証されたことを報知するために、当該表示領域に特定人物であることを表示するとともに、スピーカ４４により警告音を発生させる処理を行う。これにより、重要人物などの特定人物が現れたことを監視員に警告することができ、特定人物に対する監視員による迅速な対応を促すことができるようになっている。
【００５４】
また、上記判定により当該通行者Ｍを登録者として認証できなかった旨の処理結果を受信したと判定した場合、つまり、受信した処理結果において当該通行者が認証ＮＧであった場合（ステップＳ４３、ＮＯ）、制御部４１は、当該処理結果の表示領域に当該通行者が認証ＮＧであった旨を表示するとともに（ステップＳ５１）、当該処理結果の表示領域内に解錠ボタン５２を表示する（ステップＳ５２）。上記解錠ボタン５２は、上述したように、当該処理結果の送信元である顔照合装置１が開閉を制御するドア３の開放（あるいはドアに設けられた電子錠の解錠）を監視員が指示するためのアイコンである。このように、当該処理結果の表示領域内にドアの開放（当該通行者の通行許可）を指示するボタンを表示することにより、監視員は、当該表示領域に表示された情報を視認した監視員が迅速かつ確実にドアの開放の指示を行うことが可能となる。
【００５５】
また、認証ＮＧであった旨と解錠ボタン５２とを当該処理結果の表示領域に表示すると、制御部４１は、当該通行者が特定人物である可能性が高いか否か（当該通行者Ｍが特定人物の可能性があるとして監視員に対する報知処理を行う必要があるか否か）を判定する処理を行う（ステップＳ５３、Ｓ５５）。ここでは、所定順位（例えば、Ｎ位）以内の候補者で、かつ、所定の表示判定用の閾値（少なくとも認証用の閾値より小さい値）以上の類似度である候補者が特定人物であるか否かにより上記報知処理を行う必要があるか否かを判定するものとする。ただし、運用形態によっては、何れかの条件のみで報知処理を行うか否かを判定するようにしても良いし、別の条件に基づいて報知処理を行うようにしても良い。たとえば、所定順位以内の候補者のうち特定人物が存在する場合に報知処理を行うようにしても良いし、所定の表示判定用の閾値以上の類似度である特定人物が存在する場合に報知処理を行うようにしても良い。
【００５６】
すなわち、制御部４１は、受信した処理結果に含まれる当該通行者に対する各候補者のうち所定順位までの候補者に特定人物が存在するか否かを判断する（ステップＳ５３）。この判断により所定順位までの候補者に特定人物が存在すると判断した場合（ステップＳ５３、ＹＥＳ）、制御部４１は、所定順位以内で特定人物となっている候補者に対する類似度が所定の表示判定用の閾値以上であるか否かを判断する（ステップＳ５５）。
【００５７】
上記判断により所定順位までの候補者に特定人物が存在しないと判断した場合（ステップＳ５３、ＮＯ）、あるいは、上記判断により候補者のうちの特定人物に対する類似度が所定の表示判定用の閾値未満であると判断した場合（ステップＳ５５、ＮＯ）、制御部４１は、当該通行者Ｍに対する類似度が最大類似度となった登録者を示す情報を当該処理結果の表示領域に表示する（ステップＳ５４）。
【００５８】
また、上記判断により所定順位以内の特定人物に対する類似度が所定の表示判定用の閾値以上であると判断した場合（ステップＳ５５、ＹＥＳ）、制御部４１は、当該特定人物を示す情報を当該処理結果の表示領域に表示するとともに（ステップＳ５６）、特定人物の報知処理を行う（ステップＳ５７）。この特定人物の報知処理としては、上記ステップＳ４７の処理と同様に、特定人物である可能性が高い通行者が検出されたことを監視員に報知するために、当該表示領域に特定人物であることを表示するとともに、スピーカ４４により警告音を発生させる処理を行う。これにより、重要人物（ＶＩＰ）などの特定人物の可能性がある通行者が認証ＮＧとなっていることを即座に監視員に警告することができ、特定人物に対する監視員による迅速な対応を促すことができるようになっている。
【００５９】
また、図５に示すような監視画面５０では、各処理結果の表示領域において登録者の顔画像（各候補者の顔画像）は表示されない。このため、各処理結果の表示領域に表示されている情報だけでは、監視員は、顔を覚えていない登録者に対する通行の可否判断を目視により簡単に判断することができないことも想定される。このような場合、監視員は、当該処理結果の詳細な情報（登録者の顔画像など）を確認するために、当該処理結果の表示領域を入力部４３で指示する。これは、指示された表示領域の処理結果を詳細に表示することを監視員が要求する指示である。
【００６０】
このような指示が入力部４３により入力された場合（ステップＳ５８）、制御部４１は、当該表示領域に表示されている処理結果の詳細情報として、当該通行者との類似度が高い順に５番目までの登録者の顔画像を詳細画面５６に表示する処理を行う（ステップＳ５９）。たとえば、制御部４１は、当該処理結果（あるいは通行履歴情報）に基づいて類似度が５番目までの候補者となる各登録者の顔画像と類似度（スコア）とをデータベース５から読み出し、読み出した各候補者の顔画像と類似度（スコア）とを順に当該通行者の顔画像と対応づけて表示する。このような詳細画面５６を監視画面５０内で表示することにより、監視者は、各候補者に対する類似度を参照しつつ、当該通行者の顔と５人分の候補者の顔と即座に見比べることが可能となる。この結果、監視員は、当該通行者が詳細画面５６に表示された候補者（登録者）のいずれかであるかを容易かつ迅速に確認することでき、通行者に対する監視員による迅速な対応が行える。
【００６１】
また、当該処理結果の表示領域あるいは当該処理結果を表示した詳細画面５６に表示された解錠ボタン５２が監視員により指示された場合（ステップＳ６０、ＹＥＳ）、制御部４１は、当該処理結果の送信元となる顔照合装置１にドア３の開放（あるいはドア３に設けられた電子錠の解錠）を要求する信号を当該顔照合装置１へ送信する（ステップＳ６１）。このようなドア３の開放要求を受けた顔認証装置１の制御部１１は、受信したドアの開放要求に応じてドア３を開放するようになっている。
【００６２】
次に、上記のような特定人物を属性情報として特定の登録者に設定する設定方法の一例について説明する。  
図８は、特定人物を属性情報として設定する処理を含む登録処理の流れを説明するためのフローチャートである。なお、図８に示す登録処理は、管理者の操作によって、動作モードを登録処理モードとした顔照合装置において実行されるものとする。
【００６３】
すなわち、管理者は、まず、登録処理を行う顔照合装置１の動作モードを登録処理モードに変更する操作を行う。これにより、顔照合装置１の動作モードが登録処理モードに移行すると、管理者は、登録対象者（登録者）の付与する識別情報としてのユーザＩＤ（登録者のＩＤ）を入力部１３により入力する。この際、登録者の氏名なども入力するようにしても良い。なお、上記ユーザＩＤは、認証制御部２１が生成するようにしても良いし、データベース５から割り当てられるようにしても良い。当該登録対象者に対するユーザＩＤが確定すると、認証制御部２１は、当該ユーザＩＤを登録者のＩＤとしてデータベース５に登録する（ステップＳ７１）。なお、登録者の氏名などの情報は、上記ユーザＩＤに対応づけてデータベース５に登録される。
【００６４】
さらに、管理者は、当該登録対象者を特定人物として登録する場合、当該登録対象者の属性情報を特定人物とする旨を入力部１３により指示入力する。当該登録対象者を特定人物とする旨の指示が入力されている場合（ステップＳ７２、ＹＥＳ）、認証制御部２１は、当該登録対象者のユーザＩＤに対応づけた属性情報を特定人物としてデータベース５に登録する処理を行う（ステップＳ７３）。
【００６５】
このような属性情報が設定された場合、あるいは、当該登録対象者に属性情報が設定されない場合、認証制御部２１は、当該登録対象者の顔情報を上記ユーザＩＤに対応づけてデータベース５に登録する処理を行う。たとえば、認証制御部２１は、カメラ２にて撮影される当該登録対象者の顔を含む画像を画像取得部２２により取り込み、取り込んだ画像から顔検出部２３により顔画像を検出し、検出した顔画像から顔特徴抽出部２４により顔特徴情報を抽出する。これにより、顔検出部２３により検出した顔画像と顔特徴抽出部２４により抽出した顔特徴情報とを当該登録対象者の顔登録情報として前記ユーザＩＤに対応づけてデータベース５に登録する処理を行う（ステップＳ７４）。
【００６６】
上記のような登録処理により登録者に対する属性情報として特定人物であることを設定することが可能である。なお、登録者に対する属性情報は、登録済みの登録者に対して設定できるようにしても良い。このような登録済みの登録者を特定人物に設定する場合、たとえば、管理者が監視用端末装置４の入力部４３あるいは顔照合装置１の入力部１３にて特定人物とする登録者のＩＤを指定することにより、当該登録者の属性情報を特定人物に更新するようすれば良い。
【００６７】
以上、説明したように、本実施の形態に係る監視用端末装置４では、顔照合装置１から前記認証対象者の顔画像と前記認証対象者が登録者であるか否かを示す判定結果と前記認証対象者の顔画像との類似度が高い順に所定順位までの各登録者を示す情報とを含む処理結果を受信し、前記顔照合装置１から受信した処理結果として前記認証対象者の顔画像と前記判定結果とを表示部４２に表示し、前記顔照合装置１から受信した処理結果に含まれる前記判定結果が前記認証対象者を登録者と判定しなかったことを示す情報である場合、前記認証対象者との類似度が所定順位までの登録者に特定人物が含まれているか否かを判定し、この判定により類似度が所定順位までの登録者に特定人物が含まれていると判定された場合、前記表示部４２に表示されている処理結果となった通行者が特定人物である可能性がある旨を報知する報知処理を行うようにたものである。  
これにより、重要人物（ＶＩＰ）などの特定人物の可能性がある通行者が認証ＮＧとなっていることを監視員に警告することができ、特定人物に対する監視員による迅速な対応を促すことができる。
【００６８】
なお、上述した実施の形態では、主として、顔画像を用いて認証対象者が登録者であるか否かを認証する顔照合装置および通行制御システムについて説明したが、上記実施の形態は、顔画像により生体認証を行うものに限定されるものではない。たとえば、上記実施の形態は、掌形、静脈パターン、指紋、虹彩、声紋などの生体情報により認証対象者が登録者であるか否かを生体認証する生体照合装置および通行制御システムにも適用可能である。
【図面の簡単な説明】
【００６９】
【図１】生体認証を用いた通行制御システムの構成例を示す図である。
【図２】顔照合装置の運用形態および設置例を説明するための図である。
【図３】顔照合装置の構成例を示す図である。
【図４】監視用端末装置の構成例を示す図である。
【図５】監視用端末装置の表示部に表示される監視画面の表示例を示す図である。
【図６】顔照合装置における照合処理モードでの動作例を説明するためのフローチャート。
【図７】監視用端末装置の動作例を説明するためのフローチャート。
【図８】監視用端末装置の登録処理モードでの動作例を説明するためのフローチャート。
【符号の説明】
【００７０】
Ｍ…歩行者（認識対象者）、１（１Ａ、…、１Ｎ、…）…顔照合装置（生体照合装置）、２（２、…、２Ｎ、…）…カメラ、３（３Ａ、…、３Ｎ、…）…ドア／ゲート、４…監視用端末装置（監視端末）、５…データベース、６…ＬＡＮ、１１…主制御部、１２…表示部、１３…入力部、２１…認証制御部、２２…画像取得部、２３…顔検出部、２４…顔特徴抽出部、２５…顔照合部、２６…通行制御部、２７…通信インターフェース部、４１…制御部、４２…表示部、４３…入力部、４４…スピーカ、４５…通信インターフェース部、５０…監視画面、５１（５１ａ．５１ｂ、５１ｃ、…）…小ウインドウ、５２（５２ａ．５２ｂ、…）…解錠ボタン、５６…詳細画面。
【図１】
2009093373.tif 000003
【図２】
2009093373.tif 000004
【図３】
2009093373.tif 000005
【図４】
2009093373.tif 000006
【図５】
2009093373.tif 000007
【図６】
2009093373.tif 000008
【図７】
2009093373.tif 000009
【図８】
2009093373.tif 000010